(57)【要約】【課題】結束部における保持力を向上することができ、電線の保持を安定化することができるケーブルグリップを提供する。【解決手段】ワイヤ３で筒状に編まれ複数の電線５の端末部が収容されるワイヤネット７と、このワイヤネット７の一端に一体的に設けられた固定部９と、ワイヤネット７の他端に設けられ複数の電線５を束ねて固定する結束部１１とを備えたケーブルグリップ１において、ワイヤネット７が、複数の電線５の端末部をそれぞれ分割して収容する複数の分割ネット１３を有し、複数の分割ネット１３が、一端が固定部９と一体的に設けられ、他端に分割ネット１３に電線５を固定させる分割結束部１５がそれぞれ設けられ、結束部１１が、複数の分割ネット１３の分割結束部１５側で複数の分割ネット１３と複数の電線５とを束ねて固定した。【選択図】図１
2018074645.tif 000002
【特許請求の範囲】
【請求項１】
ワイヤで筒状に編まれ複数の電線の端末部が収容されるワイヤネットと、このワイヤネットの一端に一体的に設けられた固定部と、前記ワイヤネットの他端に設けられ前記複数の電線を束ねて固定する結束部とを備えたケーブルグリップであって、
前記ワイヤネットは、前記複数の電線の端末部をそれぞれ分割して収容する複数の分割ネットを有し、
前記複数の分割ネットは、一端が前記固定部と一体的に設けられ、他端に前記分割ネットに前記電線を固定させる分割結束部がそれぞれ設けられ、
前記結束部は、前記複数の分割ネットの前記分割結束部側で前記複数の分割ネットと前記複数の電線とを束ねて固定していることを特徴とするケーブルグリップ。
【請求項２】
請求項１記載のケーブルグリップであって、
前記分割ネットは、前記複数の電線のうち１本の電線の端末部を収容していることを特徴とするケーブルグリップ。
【発明の詳細な説明】
【技術分野】
【０００１】
本発明は、ケーブルグリップに関する。詳細には、複数の電線の端末部を収容するネットを有し、ネットに牽引装置のフックなどが固定される固定部が設けられたケーブルグリップなどのケーブル吊り下げ治具に関する。
【背景技術】
【０００２】
従来、ケーブル吊り下げ治具としては、複数の電線の端末部が収容される筒部と、この筒部の一端に一体に設けられた固定部と、筒部の内部に充填され複数の電線の端末部の前記筒部からの抜け止めを行う熱硬化樹脂とを備えたプーリングアイが知られている（例えば、特許文献１参照）。
【０００３】
このようなプーリングアイは、例えば、建物などの壁部に形成された貫通孔に筒部を挿通させ、筒部の一端に一体に設けられた固定部に建物などに設置された牽引装置のフックなどを係止させることにより、複数の電線を一括して貫通孔に挿通させることができる。
【０００４】
しかしながら、このようなプーリングアイは、筒部の内部に熱硬化樹脂を充填させ、この熱硬化樹脂を硬化させるまでに時間がかかってしまう。
【０００５】
加えて、プーリングアイでは、筒部に柔軟性がなく、壁部に形成された貫通孔の形状によっては筒部が貫通孔を挿通することができず、複数の電線を貫通孔に挿通できないことがあった。
【０００６】
このようなプーリングアイに対して、他のケーブル吊り下げ治具としては、ワイヤで筒状に編まれ複数の電線の端末部が収容されるワイヤネットと、このワイヤネットの一端に一体的に設けられた固定部と、ワイヤネットの他端に設けられ複数の電線を束ねて固定する結束部としての固定具とを備えたケーブルグリップが知られている（例えば、特許文献２参照）。
【０００７】
このケーブルグリップでは、ワイヤネット内に複数の電線の端末部を挿入させ、ワイヤネットの他端側に固定具を組付けることによって複数の電線が束ねられてワイヤネットに固定される。
【０００８】
このようなケーブルグリップは、プーリングアイのように熱硬化樹脂の充填や硬化などがなく、複数の電線の端末部に配置させるまでに時間がかかることがない。
【０００９】
加えて、ケーブルグリップは、複数の端末部が収容される部分がワイヤネットであるので、柔軟性があり、壁部に形成された貫通孔の形状が複雑であっても挿通することができ、複数の電線を貫通孔に挿通することができる。
【先行技術文献】
【特許文献】
【００１０】
【特許文献１】特開平７−２４５８５１号公報
【特許文献２】特開２００４−１３５４２０号公報
【発明の概要】
【発明が解決しようとする課題】
【００１１】
ところで、上記特許文献２のようなケーブルグリップでは、ワイヤネットに複数の電線が挿入され、ワイヤネットの外周から結束部によって一括して複数の電線をワイヤネットに固定している。
【００１２】
この上記特許文献２のようなケーブルグリップでは、結束部によるワイヤネットに対する複数の電線の保持力が、ワイヤネットと複数の電線との摩擦力と、複数の電線間の摩擦力と、結束部による締め付け力とによって構成されている。
【００１３】
しかしながら、上記特許文献２のようなケーブルグリップでは、複数の電線の本数の増加や電線自体の重量の増加などによって、結束部の保持力を超える場合があり、結束部における電線の保持が不安定になる恐れがあった。
【００１４】
このため、複数の電線の本数の増加や電線自体の重量の増加などがある場合には、上記特許文献１のようなプーリングアイを用いる必要があるが、プーリングアイでは、上述したように、熱硬化樹脂の充填や硬化にかかる時間が多く、貫通孔に複数の電線を挿通できない恐れがあった。
【００１５】
そこで、この発明は、結束部における保持力を向上することができ、電線の保持を安定化することができるケーブルグリップの提供を目的としている。
【課題を解決するための手段】
【００１６】
請求項１記載の発明は、ワイヤで筒状に編まれ複数の電線の端末部が収容されるワイヤネットと、このワイヤネットの一端に一体的に設けられた固定部と、前記ワイヤネットの他端に設けられ前記複数の電線を束ねて固定する結束部とを備えたケーブルグリップであって、前記ワイヤネットは、前記複数の電線の端末部をそれぞれ分割して収容する複数の分割ネットを有し、前記複数の分割ネットは、一端が前記固定部と一体的に設けられ、他端に前記分割ネットに前記電線を固定させる分割結束部がそれぞれ設けられ、前記結束部は、前記複数の分割ネットの前記分割結束部側で前記複数の分割ネットと前記複数の電線とを束ねて固定していることを特徴とする。
【００１７】
このケーブルグリップでは、ワイヤネットが、複数の電線の端末部をそれぞれ分割して収容する複数の分割ネットを有するので、複数の電線が１つのワイヤネットに一括して収容されることがない。
【００１８】
また、複数の分割ネットは、一端が固定部と一体的に設けられ、他端に分割ネットに電線を固定させる分割結束部がそれぞれ設けられているので、分割結束部による分割ネットに対する分割された電線の保持力を増大させることができる。
【００１９】
さらに、結束部は、複数の分割ネットの分割結束部側で複数の分割ネットと複数の電線とを束ねて固定しているので、分割結束部によって分割ネットに対する電線の保持力が増大された複数の分割ネットと複数の電線とに結束部の締め付け力が付与され、ワイヤネットに対する複数の電線の保持力をさらに増大させることができる。
【００２０】
従って、このようなケーブルグリップでは、結束部における保持力を向上することができ、電線の保持を安定化することができる。
【００２１】
請求項２記載の発明は、請求項１記載のケーブルグリップであって、前記分割ネットは、前記複数の電線のうち１本の電線の端末部を収容していることを特徴とする。
【００２２】
このケーブルグリップでは、分割ネットが、複数の電線のうち１本の電線の端末部を収容しているので、１つの分割ネットに対して１本の電線を分割結束部によって保持させることができ、結束部における保持力をさらに向上することができる。
【発明の効果】
【００２３】
本発明によれば、結束部における保持力を向上することができ、電線の保持を安定化することができるケーブルグリップを提供することができるという効果を奏する。
【図面の簡単な説明】
【００２４】
【図１】本発明の実施の形態に係るケーブルグリップの正面図である。
【図２】本発明の実施の形態に係るケーブルグリップに電線を挿入する前の正面図である。
【図３】本発明の実施の形態に係るケーブルグリップによって壁部の貫通孔に複数の電線を挿通したときの断面図である。
【発明を実施するための形態】
【００２５】
図１〜図３を用いて本発明の実施の形態に係るケーブルグリップについて説明する。
【００２６】
本実施の形態に係るケーブルグリップ１は、ワイヤ３で筒状に編まれ複数の電線５の端末部が収容されるワイヤネット７と、このワイヤネット７の一端に一体的に設けられた固定部９と、ワイヤネット７の他端に設けられ複数の電線５を束ねて固定する結束部１１とを備えている。
【００２７】
また、ワイヤネット７は、複数の電線５の端末部をそれぞれ分割して収容する複数の分割ネット１３を有する。
【００２８】
さらに、複数の分割ネット１３は、一端が固定部９と一体的に設けられ、他端に分割ネット１３に電線５を固定させる分割結束部１５がそれぞれ設けられている。
【００２９】
そして、結束部１１は、複数の分割ネット１３の分割結束部１５側で複数の分割ネット１３と複数の電線５とを束ねて固定している。
【００３０】
また、分割ネット１３は、複数の電線５のうち１本の電線５の端末部を収容している。
【００３１】
図１〜図３に示すように、複数（ここでは３本）の電線５は、端末部の絶縁被覆が剥がされ、露出された芯線に対してスリーブ（不図示）やこのスリーブの周囲を覆いワイヤネット７と直接接触することを防止するチューブ（不図示）などを組付ける端末処理が施されている。
【００３２】
このように端末処理された複数の電線５の端末部は、ワイヤネット７の内部に収容されている。
【００３３】
ワイヤネット７は、複数本のワイヤ３を編み込むことによって筒状に形成され、一端が閉塞されるように固定部９に一体的に設けられ、他端が複数の電線５の端末部を挿入可能に開口されている。
【００３４】
このワイヤネット７は、複数（ここでは３本）の電線５の端末部をそれぞれ分割（ここでは３本の電線５をそれぞれ１本の電線５に分割）して収容する複数（ここでは３つ）の分割ネット１３を有する。
【００３５】
複数の分割ネット１３は、それぞれ複数本のワイヤ３を編み込むことによって筒状に形成され、それぞれの一端が固定部９に一体的に固定されることにより、ワイヤネット７を構成し、それぞれ他端が分割された電線５の端末部を挿入可能に開口されている。
【００３６】
この複数の分割ネット１３には、端末処理された複数の電線５から分割された１本の電線５の端末部が、それぞれの分割ネット１３の開口から分割ネット１３内に挿入され、１つの分割ネット１３に対して１本の電線５の端末部が収容される。
【００３７】
このように電線５の端末部が収容された複数の分割ネット１３の開口側には、それぞれ分割ネット１３の外周に分割結束部１５が設けられている。
【００３８】
分割結束部１５は、帯状に形成され、電線５が挿入された分割ネット１３の外周に分割ネット１３を電線５の外周に密着するように締め付けることによって、分割ネット１３に対して電線５を固定する。
【００３９】
このようにそれぞれの分割ネット１３に対してそれぞれ分割結束部１５を設けることにより、ワイヤネット７に対する複数の電線５の全体の保持力に、それぞれの分割ネット１３における分割結束部１５による締め付け力と分割ネット１３と電線５との摩擦力との総和が付与される。
【００４０】
このため、複数の電線５の本数の増加や電線５の重量増加が発生しても、ワイヤネット７に対する複数の電線５の全体の保持力が増大されているので、ワイヤネット７に複数の電線５の端末部を安定して保持することができる。
【００４１】
このように分割された電線５がそれぞれ収容され分割結束部１５がそれぞれ設けられた複数の分割ネット１３は、開口側に結束部１１が設けられている。
【００４２】
結束部１１は、帯状に形成され、分割結束部１５が設けられた複数の分割ネット１３の外周をそれぞれの分割ネット１３が密着するように締め付けることによって、複数の分割ネット１３と複数の電線５とを束ねて固定する。
【００４３】
このように結束部１１によって複数の分割ネット１３と複数の電線５とを束ねて固定することにより、ワイヤネット７に対する複数の電線５の全体の保持力に、結束部１１の締め付け力と複数の分割ネット１３の間の摩擦力と複数の電線５の間の摩擦力とをさらに付与することができる。
【００４４】
このため、ワイヤネット７に対する複数の電線５の全体の保持力をさらに増大させることができ、ワイヤネット７に複数の電線５の端末部をさらに安定して保持することができる。
【００４５】
加えて、結束部１１によって複数の分割ネット１３と複数の電線５とを束ねて固定することにより、複数の分割ネット１３がばらけることがなく、ワイヤネット７の外径を小さくすることができ、ワイヤネット７が挿通される、例えば、建物などの壁部１７に設けられた貫通孔１９の径を小さくすることができる。
【００４６】
このため、壁部１７に貫通孔１９を設ける作業が容易になるだけでなく、耐火処理などによって貫通孔１９に埋められる埋め戻し部材２１の量を削減でき、その埋め戻し作業も容易に行うことができ、施工性を向上することができる。
【００４７】
このように構成されたケーブルグリップ１は、まず、複数の分割ネット１３に対して複数の電線５から分割された電線５の端末部をそれぞれ挿入する。
【００４８】
次に、複数の分割ネット１３のそれぞれに対して、分割ネット１３の外周から分割結束部１５を設け、分割ネット１３に対して分割された電線５を固定する。
【００４９】
そして、分割結束部１５が設けられた複数の分割ネット１３に対して、複数の分割ネット１３の外周から複数の分割ネット１３を束ねるように結束部１１を設け、ワイヤネット７に対して複数の電線５を固定する。
【００５０】
このようにワイヤネット７に対して複数の電線５が固定されたケーブルグリップ１は、例えば、建物などに設置された牽引装置（不図示）のフックが固定部９に係止され、牽引装置によって牽引することにより、ワイヤネット７が建物などの壁部１７の貫通孔１９に挿通され、複数の電線５を一括して壁部１７の貫通孔１９を挿通させることができる。
【００５１】
このケーブルグリップ１では、ワイヤネット７が、複数の電線５の端末部をそれぞれ分割して収容する複数の分割ネット１３を有するので、複数の電線５が１つのワイヤネット７に一括して収容されることがない。
【００５２】
また、複数の分割ネット１３は、一端が固定部９と一体的に設けられ、他端に分割ネット１３に電線５を固定させる分割結束部１５がそれぞれ設けられているので、分割結束部１５による分割ネット１３に対する分割された電線５の保持力を増大させることができる。
【００５３】
さらに、結束部１１は、複数の分割ネット１３の分割結束部１５側で複数の分割ネット１３と複数の電線５とを束ねて固定しているので、分割結束部１５によって分割ネット１３に対する電線５の保持力が増大された複数の分割ネット１３と複数の電線５とに結束部１１の締め付け力が付与され、ワイヤネット７に対する複数の電線５の保持力をさらに増大させることができる。
【００５４】
従って、このようなケーブルグリップ１では、結束部１１における保持力を向上することができ、電線５の保持を安定化することができる。
【００５５】
また、分割ネット１３は、複数の電線５のうち１本の電線５の端末部を収容しているので、１つの分割ネット１３に対して１本の電線５を分割結束部１５によって保持させることができ、結束部１１における保持力をさらに向上することができる。
【００５６】
なお、本発明の実施の形態に係るケーブルグリップでは、複数の電線が３本となっており、複数の分割ネットが３つとなっているが、これに限らず、電線を４本以上、分割ネットを４つ以上設けてもよい。
【００５７】
また、１つの分割ネットに対して１本の電線の端末部が収容されているが、これに限らず、例えば、電線が３本ある場合には、２本の電線の端末部を１つの分割ネットに収容し、１本の電線の端末部を１つの分割ネットに収容するなど、分割する電線の本数は１本に限らず、１つの分割ネットに収容される電線の本数も１本にしなくともよい。
【符号の説明】
【００５８】
１…ケーブルグリップ
３…ワイヤ
５…電線
７…ワイヤネット
９…固定部
１１…結束部
１３…分割ネット
１５…分割結束部
【図１】
2018074645.tif 000003
【図２】
2018074645.tif 000004
【図３】
2018074645.tif 000005